(57)【要約】【課題】  小型デジタルカメラを野外で使用し撮影する際、液晶モニター（画像モニター）に太陽光線が照射して  画像が不鮮明になる事が多い。特に太陽光線が強い好天気で、液晶モニターが太陽光線に向いている場合は、画像が全く見えない事がある。これは太陽光線を遮光するフードが備わっていないからである。【解決手段】  前面側にカメラのレンズ部を突出させるレンズ部用穴を設け、背面側にカメラの液晶モニター部に接する折りたたみ構造、又は蛇腹構造、固定構造等の筒状状遮光フードを連設し、かつ上面側にチャック構造のカメラ収納口とシャッター用開口部を設けるか、又は側面側にカメラ収納口、上面側にシヤッター用開口部を設けた、皮革、人造皮革材等で成る袋状、又は軽金属、樹脂材等で成る箱状の小型デジタルカメラ用遮光ケースであり、デジタルカメラを収納して、野外の撮影時にカメラの液晶モニターに太陽光線が照射するのを防止する。【選択図】図１
2013130850.tif 000002
【特許請求の範囲】
【請求項１】
前面側にカメラのレンズ部を突出させるレンズ部用穴を設け、背面側にカメラの液晶モニター部に接する筒状遮光フードを設け、上面側にカメラ収納口とシャッター用開口部を開閉するチャック構造を設けた、皮革、人造皮革等の柔軟性素材により袋状に構成した事を特徴とする小型デジタルカメラ用遮光ケース。
【請求項２】
前面側にカメラのレンズ部を突出させるレンズ部用穴を設け、背面側にカメラの液晶モニター部に接する筒状遮光フードを設け、側面側にカメラ収納口を設けると共に、上面側にカメラのシッター用開口部を設けた、軽金属、樹脂等の素材により箱状に構成した事を特徴とする小型デジタルカメラ用遮光ケース。
【請求項３】
筒状遮光フードは四面柱錐形の折りたたみ構造に構成し、延長した一側面の先端部を、本体ケース背面側に係着する係着手段を備えた押圧支持片に構成した事を特徴とする請求項１及び請求項２に記載の小型デジタルカメラ用遮光ケース。
【請求項４】
筒状遮光フードは四面柱錐形の折りたたみ構造に構成し、一側面の基部に、本体ケース背面側に係着する係着手段を先端部に備えた押圧支持片の一端部を固定した事を特徴とする請求項１及び請求項２に記載の小型デジタルカメラ用遮光ケース。
【請求項５】
筒状遮光フードは蛇腹構造に構成し、その底面側に、筒状遮光フードの伸縮ガイド兼押圧蓋体を装設した事を特徴とする請求項１及び請求項２に記載の小型デジタルカメラ用遮光ケース。
【発明の詳細な説明】
【技術分野】
【０００１】  小型デジタルカメラを野外で使用し撮影する際、液晶モニター（画像モニター）に太陽光線が照射して  画像が不鮮明になる事が多い。特に太陽光線が強い好天気で、液晶モニターが太陽光線に向いている場合は、画像が可視不能となり全く見えない事がある。
【背景技術】
【０００２】  高級なデジタルカメラには撮影時に使用する太陽項線の遮光フードが具備されているが、小型の携帯用デジタルカメラには太陽光線に対する遮光フードは装備されていない。この為、太陽光線に妨害されて液晶モニターの画像が不可視の場合、撮影者は勘（感覚）による撮影を余儀なくされている。従って、撮影が重要対象物である場合や、貴重な行楽の記念撮影の機会である場合などは確実な撮影を期待するので、応急的に衣服などで頭からカメラまでを被って太陽光線を遮光するなど、極めて不便である。
【発明の開示】
【発明が解決しようとする課題】
【０００３】  本発明は、携帯用の小型デジタルカメラが野外での撮影時に、液晶モニターに映った画像を太陽光線に妨害される事なく的確に可視できる事を課題としたデジタルカメラ用遮光ケースである。その遮光ケースは使用時の操作が容易であり、太陽光線の遮光を必要とする撮影時だけでなく、通常はデジタルカメラのケースとしも使用する事も包含している。
【課題を解決するための手段】
【０００４】  本発明は、上記の問題を解決するために、前面側の、カメラのレンズ部を突出させるレンズ部用穴と、背面側の、カメラの液晶モニター部に接する折りたたみ構造、蛇腹構造、固定構造などの筒状遮光フードと、上面側又は側面側の、チャック構造又は開口状のカメラ収納口とカメラのシャッター用開口部の構成要素を備えた事を特徴とする小型デジタルカメラ用遮光ケースである。
【発明の効果】
【０００５】  皮革、人造皮革等の柔軟性素材で構成される本体ケースは、カメラのケースと兼用して形態する事ができ、上面側はチャック構造により開閉できるので、小さく開口すればシャッター用開口部となり、大きく開口すればカメラ収納口をも形成する事がでまる。【０００６】  軽金属、樹脂材等の素材で構成される本体ケースは、太陽光線を遮光する必要のある撮影時のみ使用するもので、側面側又は上面側のカメラ収納口からは容易にカメラを出し入れできる。上面側のシャッター用開口部は常時開口しているので使い易い。また、レンズ部用穴で後記するが、使用時はカメラのレンズ部がレンズ部用穴から突出しているので、収納したカメラが脱落する事はない、【０００７】  前面側のレンズ部用穴は、使用時においては、カメラのレンズ部が突出しているので、カメラ収納口が開口している状態でもカメラが本体ケースから脱落する事を防止できる。【０００８】  背面側の遮光フードは、折りたたみ構造、蛇腹構造造は不使用時は折りたたみ、又は縮小して平たく納まるので、本体ケースはカメラのケースと兼用し携帯用として使用する。折りたたみ構造は不使用時は、折りたたみ押圧支持片で押さえ、先端の係着ホックや係着片により固定する。蛇腹構造は伸縮ガイド兼押蓋体で押して縮小し固定する。固定構造はかめらのケースト兼用ではないので必要時のみ使用する。
【発明を実施するための最良の形態】
【０００９】  本体ケースは携帯用とする場合は、皮革、人造革等の柔軟性素材で構成するのが至便であり、カメラ収納口やシャッター用開口部はチャック構造とするのが最適である。箱状の本体ケースは剛性素材とする事により、使用時の安定性が増し、筒状遮光フードを折りたたみ構造や蛇腹構造にする場合に取扱が安定する。【００１０】  筒状遮光フードはカメラの液晶モニターに対応して断面４角形状の４角柱又は４角錐の筒体に形成する事により、折りたたみ構造や蛇腹構造を採用するのに適する。特にカメラのケース兼用とする場合は、４角錐状か最適である。【００１１】  折りたたみ構造の筒状遮光フードを折りたたんだ後に使用する押圧支持片は、筒状遮光フードと別個に設けてもよいが、１側面の長さを延長して先端側を押圧支持片とし、その先端部に、本体ケース背面側に装着した係着ホックＢや係着片Ｂと相互に係着する係着ホックＡや係着片Ａを装着すると、構造が簡略化し、取扱も容易となる。
【実施例】
【００１２】  図１より図５はカメラのケースと兼用する実施例である。本体ケースを皮革、等の人造皮革等の柔軟性素材で構成し、前面側にレンズ部用穴２を設け、上面側はチャック構造５に構成して、開く事によりかめら収納口４とシャッター用開口部６を構成する。背面側の筒状遮光フード３は  ４角錐状の折りたたみ構造に構成し、その１側面は延長して押圧獅子片７を兼用させ、その先端部に本体ケースの背面側に装着した係着ホックＢ８’と係合する係着ホックＡ８を装着した１実施例を示す。【００１３】  図１及び図２は、上面側のチャック構造５を開いてカメラを収納した後、上面のシャッター用開口部６を開き、背面側の係着ホックＡ８と本体ケース１側の係着ホックＢ８’を外し、て圧支持片７を離し、筒状遮光フード３を開口した状態の前面側と背面側を示す。【００１４】  図３はチャック構造５のシャッター用開口部６を開き、筒状遮光フード３の折りたたみを開始した状態であり、図４は更に筒状遮光フード３を折りたたんだ状態であり、図５は折りたたんだ筒状遮光フード３を押圧支持片７で押さえ、先端の係着ホック８をケース本体１の背面側の係着ホックＢ８’に係合して固定した状態を示す。【００１５】  図６は、折りたたんだ筒状遮光ケース３を押さえて固定するために、押圧支持片７の先端に係着片（マジックテープ）Ａ９、本体ケース１の背面側に係着片Ｂ９’を装着し他実施例である。【００１６】  図７は、本体ケース１を軽金属や樹脂等の素材により箱状に構成し、一方の側面を開口してカメラ収納口４に形成し、上面の一部を開口してシャッター用開口部６とした実施例である。この実施例は必要時のみ使用する事を意図したもので、カメラのケースを兼用するものではないが、カメラの装填が容易であり、撮影時にはレンズ用穴２からカメラのレンズ部が突出しているので、カメラが脱落する事はない。又、図示は省略したが、ケース本体１が堅固であるから、筒状遮光フード３の折りたたみ構造にして押圧支持片７を設ける事が容易であり、その取扱も安定する利点がある。【００１７】  図８は及び図９は、本体ケース１を箱状に構成し、上面の一部をシャッター用開口部６、カメラ収納口４に開口し、筒状遮光プード３蛇腹構造に構成した実施例である。蛇腹構造の筒状遮光フード３は、底面側の伸縮ガイド兼押圧蓋体１１を開き、その上面を摺動させて引く事により蛇腹構造の筒状遮光フード３を伸長して筒状に形成し、又、逆に伸縮ガイド兼押圧蓋体１０を閉じる事により図９の通り縮小させる。【００１８】  図１０は図７に示した実施例と同様に本体ケース１を箱状に構成した実施例であり、相違する部分は、上面全体を開口してカメラ収納口４とシャッター用開口部６を形成した事である。この実施例はカメラの出し入れが容易であり、レンズ用穴２からカメラのレンズ部が突出していない不使用時でも、カメラが脱落しない利点がある。
【図面の簡単な説明】
【００１９】
【図１】  本体ケースを柔軟性素材で構成し、正面側にレンズ部用穴を設け、チャック構造の上面側を開き、背面側の折りたたみ構造の筒状遮光フードは１壁面を押圧支持片に兼用した本発明の実施例の正面側斜視図である。
【図２】  図１に示した実施例の背面側斜視図である。
【図３】  図１に示した実施例において、筒状遮光フードの折りたたみを開始した状態の背面側斜視図である。
【図４】  図１に示した実施例において、筒状遮光フードを更に折りたたんだ状態の背面側斜視図である。
【図５】  図１に示した実施例において、折りたたんだ筒状遮光フードを押圧支持片で押さえ係着ホックで固定した状態の背面側斜視図である。
【図６】  押圧支持片の先端と本体ケースの背面側に、相互に係着する係着片を装着した実施例の背面側斜視図である。
【図７】  本体ケースを箱状に構成し、一方の側面と上面一部分を開口し、側面をカメラ収納口とした実施例の正面側斜視図である。
【図８】  筒状遮光フードを蛇腹構造にした実施例の背面側斜視図である。
【図９】  図８に示した実施例の蛇腹構造の筒状遮光フードを縮小し、伸縮ガイド兼押圧蓋体を閉じている状態の背面側斜視図である。
【図１０】  本体ケースを箱状に構成し、上面全体を開口した実施例の正面側斜視図である。
【符号の説明】
【００２０】１    本体ケース
２    レンズ部用穴
３    筒状遮光フード
４    カメラ収納口
５    チャック構造
６    シャッター用開口部
７    押圧支持片
８    係着ホックＡ
８’  係着ホックＢ
９    係着片Ａ
９’  係着片Ｂ
１０  伸縮ガイド兼押圧蓋体
【図１】
2013130850.tif 000003
【図２】
2013130850.tif 000004
【図３】
2013130850.tif 000005
【図４】
2013130850.tif 000006
【図５】
2013130850.tif 000007
【図６】
2013130850.tif 000008
【図７】
2013130850.tif 000009
【図８】
2013130850.tif 000010
【図９】
2013130850.tif 000011
【図１０】
2013130850.tif 000012